(57)【特許請求の範囲】
【請求項１】
ハウスの屋根に積雪した雪に流体熱を与えて融雪するための融雪パイプを屋根に沿って同方向に複数列配管すると共に、温水ボイラからの温水が供給管を介して融雪パイプに供給され、該融雪パイプから回収管を介して温水ボイラに還流する構成とし、隣接する屋根部の間の谷部には流樋を設け、該流樋と屋根部との接続部はシールによって密閉し、融雪パイプを、流樋を挟む左右両側に沿って配管する第一の融雪パイプと、流樋の上方部に沿って上下に配管する第二の融雪パイプと、屋根部の裏側面に沿って左右に配管する第三の融雪パイプとで構成し、少ない降雪の場合には第一の融雪パイプのみを利用し、多降雪の場合には第一の融雪パイプと第二の融雪パイプを利用し、更に融雪能力が必要な場合には第一の融雪パイプと第二の融雪パイプと第三の融雪パイプを利用する構成とし、屋根裏空間と温室内空間とを保温カーテンによって隔離し、温室内の温度センサの検出に基づいて保温カーテンを自動的に開閉制御する構成とし、流樋の直近に降雪を感知する降雪感知センサを設け、供給管又は回収管には水温センサを設け、降雪感知センサが降雪を感知するか又は水温センサの検出値が摂氏０度以下である場合、融雪パイプへの温水循環をさせる構成としたハウスの融雪装置。
【発明の詳細な説明】
【０００１】
【発明の属する技術分野】
この発明は、野菜等の植物を栽培する温室ハウスにおける融雪装置に関し、農業用施設の技術分野に属する。
【０００２】
【従来の技術】
従来の温室ハウスにおける融雪装置としては、特開平５−１７６６３８号公報に開示されているように、同方向に配設した複数列の配管全てにおいて一方側から温水を供給して他方側に向けて流通させる方式のもであった。つまり、配管全ての温水の流れが一方向に限られていたものである。
【０００３】
【発明が解決しようとする課題】
配管の上流側（供給側）と下流側（排出側）とでは流通する温水の温度が異なることになり、下流側ほど低くなるため、伝熱量に差が生じて融雪作用を効果的に行い難い問題があった。
【０００４】
この発明は、融雪水の温室内への漏水を防止し、融雪能力が足りない場合には、融雪能力アップを図り、屋根部には雪が残らなくなるまで融雪することができるようにすると共に、融雪パイプが凍結しないようにすることを目的とする。
【０００５】
【課題を解決するための手段】
そのため、本発明は、上記課題を解決すべく次のような技術的手段を講じた。
すなわち、本発明における課題解決のための具体的手段は、ハウスの屋根に積雪した雪に流体熱を与えて融雪するための融雪パイプを屋根に沿って同方向に複数列配管すると共に、温水ボイラからの温水が供給管を介して融雪パイプに供給され、該融雪パイプから回収管を介して温水ボイラに還流する構成とし、隣接する屋根部の間の谷部には流樋を設け、該流樋と屋根部との接続部はシールによって密閉し、融雪パイプを、流樋を挟む左右両側に沿って配管する第一の融雪パイプと、流樋の上方部に沿って上下に配管する第二の融雪パイプと、屋根部の裏側面に沿って左右に配管する第三の融雪パイプとで構成し、少ない降雪の場合には第一の融雪パイプのみを利用し、多降雪の場合には第一の融雪パイプと第二の融雪パイプを利用し、更に融雪能力が必要な場合には第一の融雪パイプと第二の融雪パイプと第三の融雪パイプを利用する構成とし、屋根裏空間と温室内空間とを保温カーテンによって隔離し、温室内の温度センサの検出に基づいて保温カーテンを自動的に開閉制御する構成とし、流樋の直近に降雪を感知する降雪感知センサを設け、供給管又は回収管には水温センサを設け、降雪感知センサが降雪を感知するか又は水温センサの検出値が摂氏０度以下である場合、融雪パイプへの温水循環をさせる構成としたハウスの融雪装置とする。
【０００６】
【発明の効果】
従って、この発明によれば、流樋と屋根部との接続部はシールによって密閉したので、融雪水の温室内への漏水を防止できる。少ない降雪の場合には第一の融雪パイプのみを利用し、多降雪の場合には第一の融雪パイプと第二の融雪パイプを利用し、第二の融雪パイプが降雪へ直接接触することにより融雪能力を高めることができ、更に融雪能力が必要な場合には第一の融雪パイプと第二の融雪パイプと第三の融雪パイプを利用し、更なる融雪能力アップを図ることができる。また、融雪能力が足りない場合には、保温カーテンを開とすることにより、温室内の暖房熱源を利用でき、融雪能力アップを図ることができる。また、降雪感知センサが流樋の直近にあることから、滑落した雪も融かし屋根部には雪が残らなくなるまで融雪することができる。しかも、外気温が摂氏０度以下である場合、融雪パイプが凍結しないよう該融雪パイプに温水を循環することができる。
【０００７】
【発明の実施の形態】
この発明の実施例を図面に基づき説明する。
図１及び図２において、１は連棟型構造の温室ハウスであり、傾斜した各屋根部２の裾部同士を互いに接続すると共に、隣接する屋根部２，２の間の谷部には流樋３を設けている。この流樋３と屋根部２との接続部はシ−ル４によって密閉型とし、融雪水の温室内への漏水を防止するよう構成している。
【０００８】
ハウス１の一方側の妻面に沿って３方向弁５を介して温水ボイラ６に接続する供給管７と回収管８を配設し、前記流樋３を挟む左右両側に沿って配管する融雪パイプ９と、該流樋３の上方部に沿って上下に配管する融雪パイプ１０と、屋根部２，２の裏側面に沿って左右に配管する融雪パイプ１１をそれぞれ設けると共に、それぞれの始端と終端を前記供給管７と回収管８に接続する。
【０００９】
すなわち、融雪パイプ９は、供給経路９ａと戻り経路９ｂとからなり、そして、この供給経路９ａは、上流側の始端が一側方側の供給管７に接続され、下流側がこの他側方側に至ってＵタ−ンされて戻り経路９ｂ側に通じると共に、この戻り経路９ｂの下流側終端が前記一側方側の回収管８に接続される。
【００１０】
前記融雪パイプ１０及び１１においても上記同様に供給経路１０ａ，１１ａと戻り経路１０ｂ，１１ｂとからなり、供給経路１０ａ，１１ａの上流側始端が供給管７に接続され、また、戻り経路１０ｂ，１１ｂの下流側終端が回収管８に接続される。
【００１１】
このような構成によると、供給経路９ａ，１０ａ，１１ａと戻り経路９ｂ，１０ｂ，１１ｂとでは上流側が互いに反対側となる。
降雪時には、温水ボイラ６を作動して８０度程度の温水を供給する。供給された温水は供給管７から各融雪パイプ９，１０，１１を通じて回収管８で温水ボイラ６の回収側に還流する。この循環の過程において各融雪パイプ（配管）９，１０，１１から発する伝熱によって融雪される。融かされた水は流樋３に流下して排出される。なお、図中、１２は温水制御装置を示す。
【００１２】
降雪量の多少によっては、つまり、降雪量が多くなる毎に、配管９⇒配管９＋配管１０⇒配管９＋配管１０＋配管１１の順序で配管数を増加し融雪を行うことができる。例えば、比較的少ない降雪の場合には配管９のみの利用によって行う。なお、この際は外気温度が０℃以下の凍結の問題を避けるようにする。そして、多降雪の場合は、前記配管９に加えて配管１０をも利用するようにし、配管１０による降雪への直接の接触により融雪能力を高めることができる。更に、融雪能力が必要な時には、配管１１をも加えて更なる能力アップを図るようにする。
【００１３】
屋根裏空間１３と温室内空間１４とが保温カ−テン１５によって隔離されている。保温カ−テン１５の一部１５ａが支柱１６との間において開閉自在に構成されている。融雪能力が足りない場合には、保温カ−テン１５ａを開とすることにより、温室内の暖房熱源を利用することができ、融雪能力アップを図ることができる。
【００１４】
開閉する保温カ−テン１５ａは、温室内の暖房熱量に応じて自動的に開閉制御することもできる。つまり、この保温カ−テン１５ａが温室内での作物の許容範囲内における程度の温度低減まで開くように制御する構成である。要するに、かかる制御は、コンピュ−タ等の利用によって制御するが、温室内の温度センサ１７を利用することによって温室内が設定温度に達するまで、保温カ−テン１５ａを少しづつ開くようにし、そして、所定温度に達するか、所定温度以下になった時にはカ−テン１５ａを少しづつ閉めていくように制御する。
【００１５】
別実施例（図３、図４、図５）について説明する。
融雪パイプ９を利用して融雪する時は、流樋３の直近に降雪を感知する降雪感知センサＬＳ１を設ける。このセンサＬＳ１が降雪を感知すると融雪パイプ９ヘの温水循環を開始し、光線が通過すると融雪完了とみて温水循環を停止するように制御する。この時、被覆材の曇りにも反応するがセンサが流樋の直近にあることから、比較的早く誤動作を回避し、滑落した雪も融かし屋根部には雪が残らなくなるまで融雪することができる。かかる制御はコンピュ−タ−１８によって制御するように構成する。
【００１６】
融雪パイプ１０利用の時は、降雪感知センサＬＳ１に加えてセンサＬＳ２を設けておくとよい。ハウスの谷部に積もった雪は、センサＬＳ２が感知している間、融雪パイプ１０への温水循環を継続しながら融雪することができる。
供給管７及び回収管８には水温センサＷＴ１，ＷＴ２を設けている。外気温（ＷＴ１又はＷＴ２検出の水温）が０℃以下で降雪がない場合、且つ、水抜きを行なっていない時は、各融雪パイプが凍結しないよう３方向弁５を介して調整された温水を循環するように制御する。そして、この外気温が設定以上（０℃以上）になれば運転を自動的に停止する。
【図面の簡単な説明】
【図１】温室ハウスの斜視図
【図２】同上要部の切断正面図
【図３】別実施例における温室ハウスの概略斜視図
【図４】同上要部の正面図
【図５】同上要部の側面図
【符号の説明】
１    温室ハウス            ２    屋根部
３    流樋                  ４    シ−ル
５    ３方向弁              ６    温水ボイラ
７    供給管                ８    回収管
９    融雪パイプ            ９ａ  供給経路
９ｂ  戻り経路            １０    融雪パイプ
１０ａ  供給経路            １０ｂ  戻り経路
１１    融雪パイプ          １１ａ  供給経路
１１ｂ  戻り経路
【図１】
0004622090.tif 000002
【図２】
0004622090.tif 000003
【図３】
0004622090.tif 000004
【図４】
0004622090.tif 000005
【図５】
0004622090.tif 000006